(57)【要約】【課題】受信した呼情報の内容を解析して着信端末への接続の振り分けを判別し、１つの電話番号へ複数の端末を接続可能とする。【解決手段】インターネット１５などのネットワークに接続された中継装置１００には、受信情報解析部１１０と、着信先判別テーブル１２０と、中継装置１００に接続された端末Ａ１０〜端末ｎを備える。受信した呼び信号を解析し、その結果に応じて、予め着信先判別テーブル１２０に記憶されたＳＩＰメッセージの組み合わせから着信端末を判別し、異なった機能を有する複数の端末のうちで通信可能な端末へ接続する。【選択図】図１
2007329547.tif 000002
【特許請求の範囲】
【請求項１】
受信した呼情報に応じて着信先を選択し端末に接続するための中継方法であって、
受信情報解析部において、前記呼情報に含まれる指定の前記着信先を解析して抽出するステップと、
接続先判別部において、前記受信情報解析部が抽出した前記着信先の端末を判別するステップと、
接続先振り分け部において、前記呼情報およびそれに係る受信信号を前記接続先判別部が判別した前記端末へ通信可能に振り分けて接続させるステップと、
を有することを特徴とする中継方法。
【請求項２】
前記接続先判別部は、
前記呼情報がＳＩＰにより構成されていることを特徴とする請求項１に記載の中継方法。
【請求項３】
前記呼情報は、
すくなくとも音声および／または映像を含んだメディアの種類を示す情報を含むことを特徴とする請求項１または２のいずれかに記載の中継方法。
【請求項４】
前記呼情報は、
すくなくとも送信および／または受信を含んだメディアの通信方向を示す情報を含むことを特徴とする請求項１〜３のいずれかに記載の中継方法。
【請求項５】
前記呼情報は、
すくなくともＩＰ着信、公衆交換通信による着信、ゲートウェイを介した音声のみの着信、ゲートウェイを介した映像付きの着信、ダイレクト着信のうちのいずれかの伝送経路情報を含むことを特徴とする請求項１〜４のいずれかに記載の中継方法。
【請求項６】
受信した呼情報に応じて着信先を選択し端末に接続するための中継装置であって、
前記呼情報に含まれる指定の前記着信先を解析して抽出するための受信情報解析部と、
前記受信情報解析部が抽出した前記着信先の端末を判別するための接続先判別部と、
前記呼情報およびそれに係る受信信号を前記接続先判別部が判別した前記端末へ通信可能に振り分けて接続させるための接続先振り分け部と、
を備えることを特徴とする中継装置。
【請求項７】
前記接続先判別部は、
前記呼情報はＳＩＰにより構成されていることを特徴とする請求項６に記載の中継装置。
【請求項８】
前記呼情報は、
すくなくとも音声および／または映像を含んだメディアの種類を示す情報を含むことを特徴とする請求項６または７のいずれかに記載の中継装置。
【請求項９】
前記呼情報は、
すくなくとも送信および／または受信を含んだメディアの通信方向を示す情報を含むことを特徴とする請求項６〜８のいずれかに記載の中継装置。
【請求項１０】
前記呼情報は、
すくなくともＩＰ着信、公衆交換通信による着信、ゲートウェイを介した音声のみの着信、ゲートウェイを介した映像付きの着信、ダイレクト着信のうちのいずれかの伝送経路情報を含むことを特徴とする請求項６〜９のいずれかに記載の中継装置。
【発明の詳細な説明】
【技術分野】
【０００１】
本発明は、ＩＰネットワークからの着信を呼情報に基づいて接続先へ振り分けるための中継方法および装置に関する。
【背景技術】
【０００２】
従来の電話システムでは、中継装置において、着信する電話番号によって着信端末を振り分けることが行われていた。
【０００３】
これは、中継装置の記憶部に設けた着信管理テーブルに、発側電話端末からの着信メッセージから取得した着信番号が登録されているかを判断し、対応する着信先が登録されている場合には、その着信先電話機を呼び出すものである（特許文献１）。
【０００４】
図４（ａ）に示すように、中継装置３００の着信先判別テーブル（着信管理テーブル）３１１に着信番号と着信先を関連づけて記憶させておき、端末Ｃ３０３や端末Ｄ３０４から「０５０−ＡＡＡＡ−ＡＡＡＡ」へ発信した場合には、着信番号認識手段３１０によって、着信先が端末Ｂ３０２ではなく端末Ａ３０１であることが得られ、端末Ａ３０１に接続される。
【０００５】
また図４（ｂ）に示すように、着信先判別テーブル（着信管理テーブル）３１１’に発信者番号と着信先を関連づけて記憶させておくと、端末Ｄ３０４から発信すると、端末Ｄ３０４の発信者番号が「０５０−ＤＤＤＤ−ＤＤＤＤ」であることから、着信番号認識手段３１０’によって、着信先判別テーブル３１１’が検索され、端末Ｂ３０２に接続される。
【特許文献１】特開２００１−１２７８８６号公報
【発明の開示】
【発明が解決しようとする課題】
【０００６】
しかしながら、上述したような方法では、着信端末毎に複数の電話番号を用意する必要があり、１つの電話番号を共有することは難しかった。
【０００７】
また、発信電話番号の違いによって、着信する端末を振り分けることはできるが、図４（ｂ）に示すように発信端末によって接続可能な端末が限られてしまい、１つの発側端末から複数の機能を利用することは難しかった。
【０００８】
本発明は、上記課題を鑑みてなされたものであり、その目的は、受信した呼情報の内容を解析して着信端末への接続の振り分けを判別し、１つの電話番号へ複数の端末を接続可能とすることにある。
【課題を解決するための手段】
【０００９】
上記課題を解決するため、請求項１に記載の本発明は、受信した呼情報に応じて着信先を選択し端末に接続するための中継方法であって、受信情報解析部において、前記呼情報に含まれる指定の前記着信先を解析して抽出するステップと、接続先判別部において、前記受信情報解析部が抽出した前記着信先の端末を判別するステップと、接続先振り分け部において、前記呼情報およびそれに係る受信信号を前記接続先判別部が判別した前記端末へ通信可能に振り分けて接続させるステップと、を有する。
【００１０】
また、請求項２に記載の本発明は、請求項１において、前記接続先判別部は、前記呼情報がＳＩＰにより構成されている。
【００１１】
また、請求項３に記載の本発明は、請求項１または２のいずれかにおいて、前記呼情報は、すくなくとも音声および／または映像を含んだメディアの種類を示す情報を含む。
【００１２】
また、請求項４に記載の本発明は、請求項１〜３のいずれかにおいて、前記呼情報は、すくなくとも送信および／または受信を含んだメディアの通信方向を示す情報を含む。
【００１３】
また、請求項５に記載の本発明は、請求項１〜４のいずれかにおいて、前記呼情報は、すくなくともＩＰ着信、公衆交換通信による着信、ゲートウェイを介した音声のみの着信、ゲートウェイを介した映像付きの着信、ダイレクト着信のうちのいずれかの伝送経路情報を含む。
【００１４】
また、請求項６に記載の本発明は、受信した呼情報に応じて着信先を選択し端末に接続するための中継装置であって、前記呼情報に含まれる指定の前記着信先を解析して抽出するための受信情報解析部と、前記受信情報解析部が抽出した前記着信先の端末を判別するための接続先判別部と、前記呼情報およびそれに係る受信信号を前記接続先判別部が判別した前記端末へ通信可能に振り分けて接続させるための接続先振り分け部と、を備える。
【００１５】
また、請求項７に記載の本発明は、請求項６において、前記接続先判別部は、前記呼情報はＳＩＰにより構成されている。
【００１６】
また、請求項８に記載の本発明は、請求項６または７のいずれかにおいて、前記呼情報は、すくなくとも音声および／または映像を含んだメディアの種類を示す情報を含む。
【００１７】
また、請求項９に記載の本発明は、請求項６〜８のいずれかにおいて、前記呼情報は、すくなくとも送信および／または受信を含んだメディアの通信方向を示す情報を含む。
【００１８】
また、請求項１０に記載の本発明は、請求項６〜９のいずれかにおいて、前記呼情報は、すくなくともＩＰ着信、公衆交換通信による着信、ゲートウェイを介した音声のみの着信、ゲートウェイを介した映像付きの着信、ダイレクト着信のうちのいずれかの伝送経路情報を含む。
【発明の効果】
【００１９】
本発明によれば、受信した呼情報の内容を解析して着信端末への接続の振り分けを判別し、１つの電話番号へ複数の端末を接続可能とすることができる。
【発明を実施するための最良の形態】
【００２０】
図１は、本実施の形態の中継装置１００に係る概略構成図であり、図２は、中継装置１００のブロック構成図である。
【００２１】
図１において、呼接続情報認識手段（受信情報解析部）１１０と、データベースとしての着信先判別テーブル１２０と、が示されている。
【００２２】
また図１において、端末Ａ１０および端末Ｂ１１は、例えば住居内に、前記中継器１００を介して接続された通信機器であり、端末Ｃ１２および端末Ｄ１３は、インターネット１５などのネットワークを介して該住居外で使用される通信機器を示している。
【００２３】
これらの端末Ａ１０〜端末ｎは、所定のプロトコルとしてＳＩＰ（Session Initiation Protocol）による通信方法を用いて、各端末Ａ１０〜端末ｎ間で、音声あるいは画像の送受信を行う。
【００２４】
着信先判別テーブル１２０は、メディア種類テーブル１２１と、メディア送受信方向テーブル１２３と、経路情報テーブル１２５と、着信先テーブル１２７が関連づけられて構成されている。
【００２５】
呼接続情報認識手段（受信情報解析部）１１０は、端末Ｃ１２（携帯電話、テレビ機能付き携帯電話等）や端末Ｄ１３（一般電話、テレビ電話等）から着信した信号（呼情報：ＳＩＰメッセージ）を解析して、着信先判別テーブル１２０を検索し、端末Ａ１０（パソコン等）や端末Ｂ１１（一般電話、テレビ電話等）等のいずれに接続するかを判定するものである。
【００２６】
メディア種類テーブル１２１には、中継装置１００を介した通信において発信された端末と、受信する端末との間で音声、画像等いずれあるいは両者による通信であるかを区別する情報が記憶されており、例えば、(1)音声のみの通信、(2)映像のみの着信、(3)音声・映像通信等の種類が記憶されている。
【００２７】
メディア送受信の方向テーブル１２３には、通信の種類が記憶されており、例えば、(1)送受信の通信、(2)送信のみの通信、(3)受信のみの通信等の送受信の方向の情報が記憶されている。
【００２８】
経路情報テーブル１２５には、発信側と受信側がどのような通信経路で接続されるかといった経路情報が記憶されており、例えば、(1)ＩＰ−ＩＰ着信、(2)ＰＳＴＮ（公衆交換電話網、(3)音声のみの端末Ｃ１２（携帯電話）とのゲートウェイを介した着信、(4)映像付きの端末Ｃ１２（携帯電話）とのゲートウェイを介した着信、(5)経路情報なしのダイレクト着信等が記憶されている。
【００２９】
着信先テーブル１２７には、前述したように例えば一つの電話番号として、居住内に設けられた端末Ａ１０（パソコン）や端末Ｂ１１（ＩＰ電話）、テレビ電話等が記憶されている。これらの情報、前記呼制御情報テーブル１２１、メディア情報テーブル１２３、経路情報テーブル１２５は、着信先テーブル１２７に記憶された端末とそれぞれ関連づけられている。
【００３０】
すなわち、一例として、ＳＩＰ（Session Initiation Protocol）メッセージが、外部の携帯電話から該居住内のＩＰ電話に音声のみで着信し双方向で会話を行う場合であったとすると、着信先判別テーブル（データベース）１２０を検索し、関連づけられた各テーブルから、「メディア種類テーブル１２１の(1)音声のみの通信、メディア送受信の方向テーブル１２３の(1)送受信の通信、経路情報テーブル１２５の(3)音声のみの端末Ｃ１２（携帯電話）とのゲートウェイを介した着信」を探索し、それらのテーブルの関連からいずれの端末Ａ１０〜端末ｎへ接続するかが得られるように構成されている。
【００３１】
次に、中継装置１００について説明する。
【００３２】
中継装置１００の詳細な構成は、図２に示すように、通信網を介して外部の端末と接続される外部接続インタフェース２０１と、データリンク終端部ａ２０３と、受信した信号を解析する受信情報解析部（呼接続情報認識手段）２０５と、受信情報解析部（呼接続情報認識手段）２０５によって解析された結果に基づいて接続する端末を判別する接続先判別部２０７と、接続先判別部２０７の判別結果に基づいて信号を振り分ける接続先振分部２０９と、該中継装置１００に接続される端末を判別する接続端末判別部２１１と、データリンク終端部ｂ２１３と、端末Ａ１０が接続される端末接続インタフェースａ２１５と、データリンク終端部ｃ２１７と、端末接続インタフェースｂ２１９と、データリンク終端部ｎ２２１と、端末接続インタフェースｎ２２３と、を備えている。
【００３３】
なお、データリンク終端部ｂ、ｃ、・・、ｎ、および端末接続インタフェースａ、ｂ、・・、ｎは、当該中継装置１００に接続可能な端末数となる。
【００３４】
受信情報解析部２０５は、受信したＳＩＰメッセージに基づいて、メディアの種類、メディア送受信の方向、経路情報を解析する。
【００３５】
すなわち、メディアの種類は、上述したメディア種類テーブル１２１に記憶されているように、(1)音声のみの通信：携帯電話やテレビ電話等を利用して、音声のみを着信した場合、(2)映像のみの着信：携帯電話やテレビ電話、パソコンを利用して映像のみを着信した場合、(3)音声・映像通信：携帯、テレビ電話、パソコンから音声と画像による着信が合った場合等である。
【００３６】
また、メディア送受信の方向は、(1)送受信通信：携帯電話やテレビ電話等から着信を受けて会話等、双方向で通信を行う場合、(2)送信のみの通信：携帯電話、パソコン、テレビ電話等から、メッセージや画像を送信する場合、(3)受信のみの通信：携帯電話、パソコン、テレビ電話等から、メッセージや画像を受信する場合である。
【００３７】
さらに、経路情報は、(1)ＩＰ−ＩＰ着信、(2)ＰＳＴＮ（公衆交換電話網）着信、(3)音声のみの端末Ｃ１２（携帯電話）とのゲートウェイを介した着信、(4)映像付きの端末Ｃ１２（携帯電話）とのゲートウェイを介した着信、(5)経路情報なしのダイレクト着信等と区別する情報である。
【００３８】
接続先判別部２０７は、前記受信情報解析部２０５によって受信信号から得られた接続先を判別する。
【００３９】
接続先振分部２０９は、前記接続先判別部２０７によって判別された接続先である各端末に、受信した信号を通信可能に接続（振り分け）するものである。
【００４０】
接続端末判別部２１１は、当該中継装置１００に接続された各端末と、前記接続先判別部２０７によって判別された接続先を関連づけるものである。
【００４１】
つぎに本実施の形態の中継装置１００により呼情報を利用して接続端末を判別する場合について図３のフローチャートを参照して説明する。
【００４２】
まず、外部からの端末Ｃ１２、端末Ｄ１３から、一つの番号へ発信する（ステップＳ１）。
【００４３】
次に、端末Ｃ１２、端末Ｄ１３からの信号を受信する（ステップＳ２）。
【００４４】
次に、受信情報解析部２０５によって、受信した信号を複数接続されている端末Ａ１０〜端末ｎのうちいずれの端末に接続するかを解析する（ステップＳ３）。
【００４５】
次に、ステップ３における解析は、ＳＩＰメッセージにどのような情報が含まれているかによって着信先判別テーブル１２０の検索を行う（ステップＳ４）。
【００４６】
次に、検索の結果を取得する（ステップＳ５）。
【００４７】
次に、該当するデータが見つからない場合は、受信した信号が不適当な信号と判断し、中継を行わない（ｅｎｄ）。該当するデータが見つかった場合には、ＳＩＰメッセージによって接続可能な着信先となる端末Ａ１０〜端末ｎを接続端末判別部２１１によって特定する（ステップＳ６）。
【００４８】
次に、特定された端末Ａ１０〜端末ｎは、接続先判別部２０７、接続先振分部２０９によって、発信した外部の端末Ｃ１２、端末Ｄ１３と通信可能に接続される（ステップＳ７）。
【００４９】
次に、受信情報解析部２０５によって解析された情報に基づいて、端末Ｃ１２、端末Ｄ１３と、音声または映像による送信、受信、送受信を行う（ステップＳ８）。
【００５０】
以上のようなステップにより、外部の端末Ｃ１２、端末Ｄ１３から一の番号に発信された信号は、当該発明の中継装置１００を介して、予め設定された適切な端末Ａ１０〜端末ｎのいずれか、あるいは複数に接続され、通信を行うことができるようになる。
【００５１】
なお、本実施の形態では、着信先判別テーブル１２０として、ＳＩＰメッセージをメディア種類、メディア送受信方向、経路情報の組合せから着信先である端末Ａ１０〜端末ｎを判別するものとして説明したが、ＳＩＰメッセージであるメディア情報、メディア送受信方向、経路情報によって着信先である端末Ａ１０〜端末ｎが特定できれば、着信先判別テーブル１２０の構成は特に限定されないものである。
【００５２】
このように本実施の形態においては、ＩＰネットワーク上に接続されるＩＰ電話やＩＰテレビ電話サービスを、家庭内のルータ等の中継装置において振り分ける着信の呼情報を利用し、もって、接続端末を判別するための中継方法およびその方法を実現するための中継装置を構成できる。
【００５３】
そして、本実施の形態によれば、受信した呼情報の内容を解析して着信端末への接続の振り分けを判別し、１つの電話番号へ複数の端末を接続可能とすることができる。
【産業上の利用可能性】
【００５４】
以上のように、本実施の形態による呼情報を利用して接続端末を判別する方法およびそれを実装した中継装置は、受信した信号を解析し、当該中継装置に複数接続された端末のいずれに接続するかを判別して、端末毎に複数の番号を保有することなく、一の番号のみで適切な端末と通信を行える。
【００５５】
特に外部の端末から、該当する端末のそれぞれの番号に対して発信するといった煩雑をなくして通信を行う場合に有用となる。
【図面の簡単な説明】
【００５６】
【図１】中継方法および装置の実施の形態に係る、全体構成を説明するための説明図を示す。
【図２】中継方法および装置の実施の形態に係る、中継装置の構成のブロック図を示す。
【図３】中継方法および装置の実施の形態に係る、中継装置が実行する処理のフローチャートを示す。
【図４】従来技術による、呼情報を利用した接続端末の判別の一例を示す構成図を示す。
【符号の説明】
【００５７】
１００  中継装置
１１０  呼接続情報認識手段（受信情報解析部）
１２０  着信先判別テーブル
１２１  メディア種類テーブル
１２３  メディア送受信方向テーブル
１２５  経路情報テーブル
１２７  着信先テーブル
２０１  外部接続インタフェース
２０３  データリンク終端部ａ
２０５  受信情報解析部（呼接続情報認識手段）
２０７  接続先判別部
２０９  接続先振分部
２１１  接続端末判別部
２１３  データリンク終端部ｂ
２１５  端末接続インタフェースａ
２１７  データリンク終端部ｃ
２１９  端末接続インタフェースｂ
２２１  データリンク終端部ｎ
２２３  端末接続インタフェースｎ
【図１】
2007329547.tif 000003
【図２】
2007329547.tif 000004
【図３】
2007329547.tif 000005
【図４】
2007329547.tif 000006